(57)【要約】【課題】物品のシルエット形状・大小等が相違する場合にもこれらに調整対応して伸縮できる汎用性ある保護カバーとして使用可能にする。【解決手段】所定物を覆うに足りる内容積を有するカバー本体１と、このカバー本体１の一部を重ね合わせ状に折り返し、その折り返し状態を維持してカバー本体１の内容積を変更させる調整部１０とを備える。カバー本体１は、扁平状に折り畳まれたとき矩形状を呈し、調整部１０は、折り畳み状態にあるカバー本体１の上部隅部に、カバー本体１の側面部に重ね合わせて折り返した上部隅部をカバー本体１の側面部に固定する固定手段１１を備える。固定手段１１は、扁平な折り畳み状態のカバー本体１の一方の側面部における上部隅部の辺縁に配した面ファスナーの雄部１２と、折り返す上部隅部を重ね合わせるカバー本体１の一方の側面部に配した面ファスナーの雌部１３とから構成する。【選択図】図１
2020082781.tif 000002
【特許請求の範囲】
【請求項１】
所定物を覆うに足りる内容積を有するカバー本体と、このカバー本体の一部が重ね合わせ状に折り返され、その折り返し状態が維持されてカバー本体の内容積を変更させる調整部とを備えて成ることを特徴とする可変形状カバー装置。
【請求項２】
カバー本体１は、下方が開放されている袋状を呈している請求項１に記載の可変形状カバー装置。
【請求項３】
カバー本体１は、側方、下方が開放されている側部開放形状を呈している請求項１に記載の可変形状カバー装置。
【請求項４】
カバー本体は、扁平状に折り畳まれたとき矩形状を呈している請求項１乃至３のいずれかに記載の可変形状カバー装置。
【請求項５】
調整部は、折り畳み状態にあるカバー本体の少なくともいずれかの隅部に、カバー本体の側面部に重ね合わせて折り返された隅部をカバー本体の側面部に固定する固定手段を備えている請求項１乃至４のいずれかに記載の可変形状カバー装置。
【請求項６】
固定手段は、扁平な折り畳み状態のカバー本体の一方の側面部における隅部の辺縁に配した面ファスナーの雌雄の一方と、折り返される隅部が重ね合わせられるカバー本体１の一方の側面部に配した面ファスナーの雌雄の他方とから構成することができる請求項５に記載の可変形状カバー装置。
【請求項７】
カバー本体の隅部の辺縁に配した面ファスナーの雌雄の一方は、複数のスポット状にして配列されており、カバー本体の側面部に配した面ファスナーの雌雄の他方は、複数の帯状にして、隅部側を支点として放射状に配列されている請求項６に記載の可変形状カバー装置。
【請求項８】
隅部の面ファスナーの雌雄の一方は、隅部の頂点位置、この頂点位置から若干の間隔を隔てた稜線に沿う内側の辺縁位置それぞれでスポット状にして計３箇所で、また雌雄の他方は、隅部の辺縁にほぼ平行にして所定幅員、所定長さの帯状にして、互いにほぼ直交されて配装されている２本と、これらの２本の交点位置から所定幅員、所定長さの帯状にして、斜め方向で配装されている１本との計３本で配列されている請求項６または７に記載の可変形状カバー装置。
【請求項９】
面ファスナーのスポット状の雌雄の一方は、同じく帯状の雌雄の他方の延長上に位置されている請求項７または８に記載の可変形状カバー装置。
【発明の詳細な説明】
【技術分野】
【０００１】
本発明は、例えば二輪自転車全体を覆う保護カバーとして使用するのに好適で、前後に童幼児を乗せるための同乗者席の有無、荷カゴの有無、大小その他が異なることで二輪自転車全体のシルエット形状・大小等が相違する場合にもこれらに調整対応できる汎用性ある保護カバーとして使用可能で、更には形状等が異なる各種物品・部材の保護カバーとしても利用可能な可変形状カバー装置に関する。
【背景技術】
【０００２】
従来から、例えば二輪自転車を塵埃その他から保護するための自転車用カバーが各種提供されており、自転車全体を覆うようにした平面でほぼ長い矩形筒状を呈するほぼ袋状に形成されたものが一般的に使用されている。例えば特許文献１に示される二輪車用ボディカバーであり、この一般的形状の保護カバーでは、通常型の二輪自転車に対応する大きさに形成されていて、また全体を絞り紐で固定することでカバーの拡がりが防止されることで風等による騒音の発生やあおられることがないとする。
【０００３】
また、特許文献２に示される二輪車用車体カバーでは、カバー生地に防水処理が施されているとし、特許文献３に示される自転車用カバーでは、二つ折りすることで自転車サドル、後部荷台を覆って固定されるとする。
【先行技術文献】
【特許文献】
【０００４】
【特許文献１】特開２０１１−５７０９３号公報
【特許文献２】登録実用新案第３２１１６６２号公報
【特許文献３】特開平１１−１１９０号公報
【発明の概要】
【発明が解決しようとする課題】
【０００５】
ところが上述した従来の自転車用カバーでは、例えば童幼児を同乗させるように前後に同乗者席を構成配置したいわゆるファミリータイプの二輪自転車には、保護カバー自体が小さすぎたり、自転車本体から大きく出張っている同乗者席や荷カゴを十分に覆うことができなかったりしているのが実情である。
【０００６】
また、上記のいわゆるファミリータイプの二輪自転車の大きさ、特有な形状それぞれに対応した専用の保護カバーも提案されているが、一般的な簡素な形状・構造ではないために高価となり、しかも汎用性がないから他のタイプの二輪自転車には使用できない。しかも、ファミリータイプであれ、一般的な通勤タイプであれ、二輪自転車全体の形状の大小、相違に対応して形成された保護カバーは、個別の二輪自転車それぞれには適用できても汎用性がない。また特許文献３による自転車用カバーでは自転車全体を覆うものではないから、一時的に覆っておく場合は別として、長時間にわたる保護には不適切であるばかりでなく、自転車後部に例えば同乗者席が設けられる等で大きな形態となる場合にはカバー自体を大きくしなければならず、そうすると同乗者席が設けられない一般的な自転車には大きすぎて対応できないことがある。
【０００７】
そこで本発明は叙上のような従来存した諸事情に鑑み創出されたもので、その目的は例えば一般的な通勤タイプの自転車のみならず、童幼児を同乗可能とする同乗者席が設けられたいわゆるファミリータイプの各種の自転車にもこれらを覆う形状を調整変更できるよう可変型とすることで汎用性あるものとし、更には二輪自転車のみならず、形態・形状・大小等が様々である各種物品・部材に対応してこれらをしっくりと覆うことができるようにした可変形状カバー装置を提供することにある。
【課題を解決するための手段】
【０００８】
上述した課題を解決するため、本発明にあっては、所定物（Ｂ，Ｆ）を覆うに足りる内容積を有するカバー本体１と、このカバー本体１の一部が重ね合わせ状に折り返され、その折り返し状態が維持されてカバー本体１の内容積を変更させる調整部１０とを備えて成ることを特徴とする。
カバー本体１は、下方が開放されている袋状を呈していたり、側方、下方が開放されている側部開放形状を呈していたりして構成することができる。
カバー本体１は、扁平状に折り畳まれたとき矩形状を呈して構成することができる。
調整部１０は、折り畳み状態にあるカバー本体１の少なくともいずれかの隅部に、カバー本体１の側面部に重ね合わせて折り返された隅部をカバー本体１の側面部に固定する固定手段１１を備えて構成することができる。
固定手段１１は、扁平な折り畳み状態のカバー本体１の一方の側面部における隅部の辺縁に配した面ファスナーの雌雄の一方と、折り返される隅部が重ね合わせられるカバー本体１の一方の側面部に配した面ファスナーの雌雄の他方とから構成することができる。
カバー本体１の隅部の辺縁に配した面ファスナーの雌雄の一方は、複数のスポット状にして配列されており、カバー本体１の側面部に配した面ファスナーの雌雄の他方は、複数の帯状にして、隅部側を支点として放射状に配列されて構成することができる。
隅部の面ファスナーの雌雄の一方は、隅部の頂点位置、この頂点位置から若干の間隔を隔てた稜線に沿う内側の辺縁位置それぞれでスポット状にして計３箇所で、また雌雄の他方は、隅部の辺縁にほぼ平行にして所定幅員、所定長さの帯状にして、互いにほぼ直交されて配装されている２本と、これらの２本の交点位置から所定幅員、所定長さの帯状にして、斜め方向で配装されている１本との計３本で配列されていることで構成することができる。
面ファスナーのスポット状の雌雄の一方は、同じく帯状の雌雄の他方の延長上に位置されて構成することができる。
【０００９】
以上のように構成された本発明に係る可変形状カバー装置にあって、カバー本体１は所定物（Ｂ，Ｆ）を覆うとき、その所定物（Ｂ，Ｆ）の大小、形状相違等に対応してそのままで使用されるか、調整部１０によってカバー本体１の実質的な大きさ、形状を調整変更されるかすることで、各種大きさの所定物（Ｂ，Ｆ）を形状可変な１個のカバー本体１で覆わせる。
カバー本体１の折り畳み時は扁平状となることでコンパクトであり、調整部１０による折り返し時では、折り返し状に重ね合わせる固定手段１１における面ファスーの雌雄の接合箇所の任意性と共に形状可変後のカバー本体１の変形した形状を維持させる。
固定手段１１における面ファスナーの雌雄の一方と他方との相互の接合は、任意の位置で重なり区域を調整させ、重ね合わせた固定位置の変更対応を可能にさせる等の自在な変更調整によって所定物（Ｂ，Ｆ）の大きさ、形状その他に対応させる。
扁平状に折り畳まれたカバー本体１の隅部に配した調整部１０の固定手段１１は、辺縁上に配列したスポット状の面ファスナーの雌雄の一方のいずれかと、カバー本体１の側面部上で配列した帯状の面ファスナーの雌雄の他方のいずれかとによって接合させる。そのため、その接合位置の選択によってカバー本体１の隅部を三角形状で、あるいは矩形状等の多様な態様で縮小させ、所定物（Ｂ，Ｆ）の全体であるか、部分であるかを問わずに形状、大小その他の相違に対応させて所定物（Ｂ，Ｆ）を覆わせる。
固定手段１１における面ファスナーの雌雄の一方はカバー本体１の辺縁にスポット状にして、他方はカバー本体１の側面部に帯状にして配装されていることで、カバー本体１の辺縁部分の折り返しを三角形状とすることで、覆われる所定物（Ｂ，Ｆ）に部分的に大小がある等の異形である場合に対処可能にさせる。またカバー本体１の上部・下部あるいは側部の全域の折り返しを矩形状とすることで、覆われる所定物（Ｂ，Ｆ）の例えば前後・左右方向の長さの長短、上下方向の高さの高低等の相違に対処可能にさせる。
スポット状の面ファスナーの雌雄の一方が、帯状の面ファスナーの雌雄の他方の延長上に位置していることで、カバー本体１の隅部の折り返し状の重ね合わせは、カバー本体１を縮小させるとき隅部の三角形状による折り返しの形状、大小等を、また上部・下部あるいは縁部の矩形状による折り返しの幅員、大小等を適宜に設定させて、所定物（Ｂ，Ｆ）の形状、大小等に対応させて覆わせる。
【発明の効果】
【００１０】
本発明は以上説明したように構成されているため、例えば二輪自転車Ｂにおける前後に設ける各種の装備品の有無による全体態様の相違があったり、形状・大小が異なる各種部材、部品等における態様の相違があったりしても、これらの所定物（Ｂ，Ｆ）の外形に対応して部分的にでも縮小させて形状を変更することでこれらをしっくりと覆うことができる。
【００１１】
すなわちこれは本発明において、所定物（Ｂ，Ｆ）を覆う内容積を有するカバー本体１に、このカバー本体１の一部が重ね合わせ状に折り返され、その折り返し状態が維持されてカバー本体１の内容積を変更させる調整部１０を設けたからである。これによって、覆われる所定物（Ｂ，Ｆ）の形状、大小その他の様々な相違に対応でき、汎用性に富むものとなる。
【００１２】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１３】
【図１】本発明を実施するための一形態を示す斜視図である。
【図２】同じく使用状態を示す概要正面図であって、（Ａ）乃至（Ｃ）はいずれか一方の調整部において、前後・左右方向における折り返し長さ、折返し位置がそれぞれ異なって縮小される場合を示す。
【図３】同じく使用状態を示す概要正面図であって、（Ａ）及び（Ｂ）は調整部それぞれにおいて、前後・左右方向におけるそれぞれの折り返し長さ、折返し位置がそれぞれ異なって縮小される場合を示す。
【図４】同じく使用状態を示す概要正面図であって、（Ａ）及び（Ｂ）は前後・左右方向における側縁部の一方の全域が折り返されて縮小使用される場合、（Ｃ）は上部全域が折り返されて縮小使用される場合それぞれを示す。
【図５】同じく例えば二輪自転車を覆った使用状態を示す正面図であって、（Ａ）は前後に同乗者席が設けられているタイプの二輪自転車の場合、（Ｂ）は前部に同乗者席が設けられているタイプの二輪自転車の場合、（Ｃ）は後部に同乗者席が設けられている二輪自転車の場合である。
【図６】同じく例えばソファ家具等を覆って使用される使用状態の斜視図である。
【図７】同じく他の実施の形態における斜視図である。
【発明を実施するための形態】
【００１４】
以下、図面を参照して本発明を実施するための一形態を説明すると、図１乃至図６において示される符号１はカバー本体であり、このカバー本体１は、例えば二輪自転車Ｂ全体を覆うことが可能となる内容積を有し、下部が開放されている袋状とされて、例えば防水性、柔軟性等を備えた適宜肉厚の合成樹脂製シートによって形成されている。なお、開放されている下部の開放部は面ファスナー、ボダン、縛り紐その他の下部閉鎖手段２によって閉じられるようになっている。
【００１５】
カバー本体１の内容積は、例えば二輪自転車Ｂとして各種の装備を備えたタイプ、例えば前後に童幼児等を同乗させる同乗者席が設けられた比較的に大型のファミリータイプの二輪自転車Ｂを覆うに足りるものとされる。図例にあっては、折り畳み状態でほぼ扁平な、側面から見て例えば矩形状の形態を有する袋状に形成されているも、二輪自転車Ｂの例えばハンドル幅、同乗者席幅を考慮したマチ部分を設けて形成されることもあり、カバー本体１自体の形状は特に限定されるものではない。
【００１６】
カバー本体１には、カバー本体１の一部に、例えはその前後・左右部、上部あるいは下部が折り返され、その折り返し状態が維持される調整部１０が設けられている。この調整部１０は、例えば折り畳み状態にあるカバー本体１の上部隅部に、カバー本体１の側面部に重ね合わせて折り返された上部隅部をカバー本体１の側面部に固定する固定手段１１を備えて成る。
【００１７】
なお、調節部１０は、カバー本体１の上部隅部に設けられる例として説明され、図示されるが、カバー本体１によって覆われる各種の物品の形態等によっては、カバー本体１の下部隅部に設けられることもある。本明細書においては、上部隅部として説明されるも、図示しないが下部隅部に設けることも含まれるものである。また、カバー本体１の一方の側面部に設けられる場合に限らず、他方の側面部にも設けられることもあり、更には隅部の各所にあるいは隅部の少なくとも一つに設けられることで足りる場合もある。
【００１８】
図示にあっての固定手段１１は、扁平な折り畳み状態のカバー本体１の一方の側面部における上部隅部の辺縁に配した面ファスナーの雌雄の一方、例えば雄部１２と、折り返される上部隅部が重ね合わせられるカバー本体１の一方の側面部に配した面ファスナーの雌雄の他方、例えば雌部１３とから成る。
【００１９】
雄部１２は、例えば扁平な折り畳み状態のカバー本体１の側面部が図例のようにほぼ矩形状を呈する場合等にあって、上部隅部の頂点位置、この頂点位置から若干の間隔を隔てた稜線に沿う内側の辺縁位置それぞれの計３箇所で、第１雄部１２ａ、第２雄部１２ｂ、第３雄部１２ｃとして、例えばそれぞれが小矩形状その他のいわばスポット状を呈して所定間隔を隔てて固定されている。
【００２０】
また、雌部１３は、カバー本体１の側面部において、隅部側を支点として複数の帯状にして放射状に配列されている。例えば図示のように、上部隅部の辺縁にほぼ平行にして所定幅員、所定長さの帯状にして、互いにほぼ直交されて配装されている第１雌部１３ａ、第２雌部１３ｂがあり、これらの第１雌部１３ａ、第２雌部１３ｂの間でこれらの交点位置から所定幅員、所定長さの帯状にして、斜め方向で配装されている第３雌部１３ｃが固定されている。カバー本体１の上部隅部が重ね合わせられるように折り返されたとき、雄部１２ａ，１２ｂ，１２ｃのいずれかが、雌部１３ａ，１３ｂ，１３ｃのいずれかにも任意選択的に止着接合できるようになっている。
【００２１】
図示例にあって、小矩形状で複数にしてポイント的な配列となっている雄部１２、帯状で複数条（本）の放射状的な配列となっている雌部１３それぞれにおいて、第２雄部１２ｂは第２雌部１３ｂの延長線上に位置するように、同様に第３雄部１２ｃは第１雌部１３ａの延長上に位置するように、また第１雄部１２ａは第３雌部１３ｃの延長上に位置するようにそれぞれ所定の間隔を隔てて配置されている。
【００２２】
そして、図示例のように雌部１３は、上部隅部の辺縁に平行した２条（本）、その間に斜めに配した１条の計３条（本）配列構成にしてあるも、４条配列構成、更には５条以上の配列構成とすることも可能である。場合によっては、上部隅部の辺縁に対して平行な配列構成部分を形成せずに配列することもある。
【００２３】
なお、雄部１２が帯状であったり、雌部１３が矩形状その他を呈した所定面積を有する拡がり的平面であったりしても良く、要は、調整部１０における重ね合わせ状の折り返し部分の折り返し角度、重なり大きさ、重なり態様それぞれがカバー本体１によって覆われる二輪自転車Ｂの大小等に対応して適宜に選択変更できるようにしてあれば良い。
【００２４】
また、この固定手段１１を備えた調整部１０は、カバー本体１が扁平状に折り畳まれて矩形状を呈するとき、一方の上部隅部に設ける場合に限らず、両方の上部隅部に設けることでもよく、要は少なくともいずれか一方に設けられることでも足りる。図例のように固定手段１１は、面ファスナーとせずに雌雄のボタンによる配列構成、あるいは雄部１２側に多数で配列形成したフック状の係止部に対して、これらの係止部に着脱自在に係止されるようループ状の引っ掛け部とした雌部１３とによるものとすることも可能である（いずれも図示せず）。
【００２５】
次に調整部１０を折り返し、カバー本体１自体に重ね合わせた折り畳み状態について固定手段１１による固定形態によって説明すると、図２にあっては、その（Ａ）では第１雄部１２ａを第１雌部１３ａ上に僅かな距離で接合して重ね合わせた場合であり、（Ｂ）では（Ａ）の場合に比し更に深く第１雄部１２ａを第１雌部１３ａ上に重ね合わせた場合であり、（Ｃ）では第１雄部１２ａを第２雌部１３ｂ上に重ね合わせた場合である。
【００２６】
図３にあっては、カバー本体１の上部隅部の両方に設けられた調整部１０によって変形使用される場合であり、その（Ａ）は一方の調整部１０に設けた固定手段１１においては第１雄部１２ａを第１雌部１３ａ上に重ね合わせ、他方の調整部１０に設けた固定手段１１においては同様に第１雄部１２ａを第１雌部１３ａ上に重ね合わせた場合であり、（Ｂ）は一方の調整部１０に設けた固定手段１１においては第１雄部１２ａを第２雌部１３ｂ上に重ね合わせた場合である。なお、それぞれの調整部１０に設けた固定手段１１においての雄部１２と雌部１３との重ね合わせ形態はこれらに限定されないことは勿論である。
【００２７】
図４にあっては、カバー本体１が扁平状に折り畳まれた態様において、一方あるいは両方の調整部１０の固定手段１１が辺縁に対してほぼ平行にして折り返されて雄部１２が雌部１３に重ね合わせられた場合である。その（Ａ）は一方の調整部１０に設けた固定手段１１においては第３雄部１２ｃを第１雌部１３ａ上に重ね合わせることで、この一方の調整部１０の固定手段１１側の側縁部分を辺縁にほぼ平行状態で折返し状にし、他方の調整部１０に設けた固定手段１１では折り返されてはいない場合である。（Ｂ）は一方の調整部１０の固定手段１１においては（Ａ）と同様に、第３雄部１２ｃを第１雌部１３ａ上に重ね合わせることで、固定手段１１側の端縁部分を辺縁にほぼ平行状態で折返し状にし、他方の調整部１０の固定手段１１においては第１雄部１２ａを第１雌部１３ａ上に重ね合わせた場合である。（Ｃ）は両方の調整部１０の固定手段１１それぞれにおいて、それぞれの第２雄部１２ｂを第２雌部１３ｂ上に重ね合わせることでカバー本体１の上部の端縁部分全域をカバー本体１にほぼ平行状態で折り返し状にした場合である。
【００２８】
このようにして、いずれの固定手段１１においても、雄部１２のいずれかを雌部１３のいずれかに重ね合わせ、上部隅部を斜めに折り返して三角状に、あるいは側縁部、上縁部を辺縁に平行状態で折り返してほぼ矩形状を呈するようにすることで、カバー本体１の前後・左右方向に沿う全体長さ、あるいは左右の上部隅部の長さ・高さ、更には上下方向に沿う全体高さを様々な形態で調整、変化させることができる。もとより、これらの変化例は図２乃至図４に示された具体的な形態に限らないことは勿論である。
【００２９】
更に、例えば二輪自転車Ｂを覆う場合の具体的な使用例に説明すると、図５において、その（Ａ）に示すように二輪自転車Ｂの前後部それぞれに同乗者席あるいは荷カゴが設けられている場合には、調整部１０における固定手段１１部分では折り返されることなく、カバー本体１によって全体を覆うようにして使用される。（Ｂ）に示すように二輪自転車Ｂの前部に同乗者席が設けられ、後部に所定の装備物が特に設けられていない場合には、二輪自転車Ｂの後部を覆っているカバー本体１の後部分の調整部１０に設けてある固定手段１１では雄部１２のいずれかを雌部１３のいずれかに折り返して重ね合わせ、後部形態に対応した一部を縮小した大きさとなるようにして使用される。（Ｃ）に示すように二輪自転車Ｂの前部には装備物が特に設けられておらず、後部に同乗者席が設けられている場合には、二輪自転車Ｂの前部を覆っているカバー本体１の前部側の調整部１０に設けてある固定手段１１では雄部１２のいずれかを雌部１３のいずれかに折り返して重ね合わせ、二輪自転車Ｂの前部形態に対応した一部を縮小した大きさとなるようにして使用される。
【００３０】
また図６では、例えば左右対称の形態とはなっていないソファ家具を覆う場合であり、ソファ家具Ｆを覆ったカバー本体１のいずれかの調整部１０の固定手段１１部分で雄部１２のいずれかを雌部１３のいずれかに折り返して重ね合わせることでカバー本体１の一部を縮小して使用される。
【００３１】
なお、以上のような例えば二輪自転車Ｂ、ソファ家具Ｆを覆う場合に限らず、図示を省略したが他の各種の部材、物品を覆うことが可能である。その対象物は特に制限されないばかりでなく、その大きさ・形状等に対応して調整部１０の固定手段１１における雄部１２のいずれかと雌部１３のいずれかとの相互の接合、固定することによる重なり程度の調整によってカバー本体１による実質的に覆う大きさを適宜に変更して使用すれば良いのである。
【００３２】
図７には別の実施の形態が示されており、カバー本体１が、これの側方、下方が開放された、いわば側方開放型として形成された場合である。この図７において、図１乃至図６に示された実施の形態における図中符号と同一部分は同一符号を付してあり、同一符号を付すことで詳細な説明は省略する。
【００３３】
このカバー本体１においては、扁平状に折り畳まれた状態で、いずれか一方の側方が開放されていて、その開放部分の内側には適宜間隔で複数の面ファスナー、雌雄ボタン、縛り紐等による側部閉鎖手段３が配設されている。なお、カバー本体１は、図示のように例えば所定大きさのシート素材を二つ折りし、二つ折りした一方の側縁を開放した儘とし、他方を例えば縫合したり、接着したりする等で閉じ合わせることで閉鎖部４が形成されるも、これに限定されるものではない。
【００３４】
このように、カバー本体１の側方が開放されていることで、二輪自転車Ｂ、ソファ家具Ｆその他の部材、部品に対して側方から覆うことができ、特に比較的に大型の所定物（Ｂ，Ｆ）に対する被装作業を容易に行うことができる。
【００３５】
本発明によるカバー装置は、図示例の二輪自転車Ｂ、ソファ家具Ｆに限らず、バイク、いわゆるシルバーカー等の電動車、車椅子、乳母車、更には階段型の棚・展示台・各種什器、様々な形態のオブジェその他に適用可能であり、梱包対象物の外形シルエットが様々に相違していても、それらに対応するよう伸縮させることで覆うことができる。
【符号の説明】
【００３６】
Ｂ…二輪自転車
Ｆ…ソファ家具
１…カバー本体
２…下部閉鎖手段
３…側部閉鎖手段
４…閉鎖部
１０…調整部
１１…固定手段
１２…雄部
１２ａ…第１雄部
１２ｂ…第２雄部
１２ｃ…第３雄部
１３…雌部
１３ａ…第１雌部
１３ｂ…第２雌部
１３ｃ…第３雌部
【図１】
2020082781.tif 000003
【図２】
2020082781.tif 000004
【図３】
2020082781.tif 000005
【図４】
2020082781.tif 000006
【図５】
2020082781.tif 000007
【図６】
2020082781.tif 000008
【図７】
2020082781.tif 000009
【手続補正書】
【提出日】平成30年11月19日(2018.11.19)
【手続補正１】
【補正対象書類名】図面
【補正対象項目名】全図
【補正方法】変更
【補正の内容】
【図１】
2020082781.tif 000010
【図２】
2020082781.tif 000011
【図３】
2020082781.tif 000012
【図４】
2020082781.tif 000013
【図５】
2020082781.tif 000014
【図６】
2020082781.tif 000015
【図７】
2020082781.tif 000016
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
所定物を覆うに足りる内容積を有するカバー本体と、このカバー本体の一部が重ね合わせ状に折り返され、その折り返し状態が維持されてカバー本体の内容積を変更させる調整部とを備えて成り、調整部は、折り畳み状態にあるカバー本体の少なくともいずれかの隅部に、カバー本体の側面部に重ね合わせて折り返された隅部をカバー本体の側面部に固定する固定手段を備え、固定手段は、扁平な折り畳み状態のカバー本体の一方の側面部における隅部の辺縁に配した面ファスナーの雌雄の一方と、折り返される隅部が重ね合わせられるカバー本体の一方の側面部に配した面ファスナーの雌雄の他方とから構成し、この固定手段におけるカバー本体の隅部の辺縁に配した面ファスナーの雌雄の一方は、複数のスポット状にして配列されており、カバー本体の側面部に配した面ファスナーの雌雄の他方は、複数の帯状にして、隅部側を支点として放射状に配列されていることを特徴とする可変形状カバー装置。
【請求項２】
カバー本体１は、下方が開放されている袋状を呈している請求項１に記載の可変形状カバー装置。
【請求項３】
カバー本体１は、側方、下方が開放されている側部開放形状を呈している請求項１に記載の可変形状カバー装置。
【請求項４】
カバー本体は、扁平状に折り畳まれたとき矩形状を呈している請求項１乃至３のいずれかに記載の可変形状カバー装置。
【請求項５】
隅部の面ファスナーの雌雄の一方は、隅部の頂点位置、この頂点位置から若干の間隔を隔てた稜線に沿う内側の辺縁位置それぞれでスポット状にして計３箇所で、また雌雄の他方は、隅部の辺縁にほぼ平行にして所定幅員、所定長さの帯状にして、互いにほぼ直交されて配装されている２本と、これらの２本の交点位置から所定幅員、所定長さの帯状にして、斜め方向で配装されている１本との計３本で配列されている請求項１乃至４のいずれかに記載の可変形状カバー装置。
【請求項６】
面ファスナーのスポット状の雌雄の一方は、同じく帯状の雌雄の他方の延長上に位置されている請求項１乃至５のいずれかに記載の可変形状カバー装置。